【手続補正書】
【提出日】平成19年3月28日(2007.3.28)
【手続補正１】
【補正対象書類名】明細書
【補正対象項目名】発明の名称
【補正方法】変更
【補正の内容】
【発明の名称】コンテンツ提供システム、コンテンツ配信方法、記憶媒体、データ処理装置、及び、コンテンツサーバ
【手続補正２】
【補正対象書類名】明細書
【補正対象項目名】特許請求の範囲
【補正方法】変更
【補正の内容】
【特許請求の範囲】
【請求項１】  コンテンツデータをネットワークを介して配信するコンテンツサーバと、
コンテンツデータの再生及び／又は制御をする再生制御プログラムを有し、上記コンテンツサーバから配信されたコンテンツデータを記憶媒体に記憶して再生及び／又は制御をするとともに配信されたコンテンツデータのバックアップデータを記憶媒体に記憶し、上記コンテンツデータの使用ログ情報を上記コンテンツサーバに送信するデータ処理装置とを備え、
上記データ処理装置は、上記記憶媒体からコンテンツデータが取得できなくなったときには、上記使用ログ情報を上記コンテンツサーバから取得し、この使用ログ情報に応じて上記記憶媒体に記憶しているコンテンツデータのバックアップデータの再生及び／又は制御をすること
を特徴とするコンテンツ提供システム。
【請求項２】  コンテンツデータをネットワークを介して配信するコンテンツサーバと、
コンテンツデータの再生及び／又は制御をする再生制御プログラムを有し、上記コンテンツサーバから配信されたコンテンツデータを記憶媒体に記憶して再生及び／又は制御をし、上記コンテンツデータの使用ログ情報を上記コンテンツサーバに送信するデータ処理装置とを備え、
上記データ処理装置は、上記記憶媒体からコンテンツデータが取得できなくなったときには、この取得できなくなったコンテンツデータを上記コンテンツサーバから再配信を受けるとともに、上記使用ログ情報を上記コンテンツサーバから取得し、この使用ログ情報に応じて再配信されたコンテンツデータの再生及び／又は制御をすること
を特徴とするコンテンツ提供システム。
【請求項３】  コンテンツデータの再生及び／又は制御をする再生制御プログラムを有するデータ処理装置と、コンテンツデータをネットワークを介して上記データ処理装置に配信するコンテンツサーバとの間で行われるコンテンツ配信方法において、
上記コンテンツサーバが、コンテンツデータを上記データ処理装置に配信し、
上記データ処理装置が、上記コンテンツサーバから配信されたコンテンツデータを記憶媒体に記憶して再生及び／又は制御をするとともに、配信されたコンテンツデータのバックアップデータを記憶媒体に記憶し、
上記データ処理装置が、上記コンテンツデータの使用ログ情報を上記コンテンツサーバに送信し、
上記データ処理装置が上記記憶媒体からコンテンツデータが取得できなくなったときには、上記コンテンツサーバが、上記使用ログ情報を上記データ処理装置に送信し、
上記データ処理装置が、上記使用ログ情報に応じて上記記憶媒体に記憶しているコンテンツデータのバックアップデータの再生及び／又は制御をすること
を特徴とするコンテンツ配信方法。
【請求項４】  コンテンツデータの再生及び／又は制御をする再生制御プログラムを有するデータ処理装置と、コンテンツデータをネットワークを介して上記データ処理装置に配信するコンテンツサーバとの間で行われるコンテンツ配信方法において、
上記コンテンツサーバが、コンテンツデータを上記データ処理装置に配信し、
上記データ処理装置が、上記コンテンツサーバから配信されたコンテンツデータを記憶媒体に記憶して再生及び／又は制御をし、
上記データ処理装置が、上記コンテンツデータの使用ログ情報を上記コンテンツサーバに送信し、
上記データ処理装置が上記記憶媒体からコンテンツデータが取得できなくなったときには、上記コンテンツサーバが、この取得できなくなったコンテンツデータを上記データ処理装置に再配信するとともに、上記使用ログ情報を上記データ処理装置に送信し、
上記データ処理装置が、上記使用ログ情報に応じて再配信されたコンテンツデータの再生及び／又は制御をすること
を特徴とするコンテンツ配信方法。
【請求項５】  データ処理装置にインストールされ、ネットワークを介してコンテンツサーバから配信されたコンテンツデータを取得し、このコンテンツデータの再生及び／又は制御をする再生制御プログラムが格納された記憶媒体であって、
上記再生制御プログラムは、
上記コンテンツサーバから配信されたコンテンツデータを記憶媒体に記憶して再生及び／又は制御をするとともに配信されたコンテンツデータのバックアップデータを記憶媒体に記憶し、上記コンテンツデータの使用ログ情報を上記コンテンツサーバに送信し、
上記記憶媒体からコンテンツデータが取得できなくなったときには、上記使用ログ情報を上記コンテンツサーバから取得し、この使用ログ情報に応じて上記記憶媒体に記憶しているコンテンツデータのバックアップデータの再生及び／又は制御をすること
を特徴とする記憶媒体。
【請求項６】  データ処理装置にインストールされ、ネットワークを介してコンテンツサーバから配信されたコンテンツデータを取得し、このコンテンツデータの再生及び／又は制御をする再生制御プログラムが格納された記憶媒体であって、
上記再生制御プログラムは、
上記コンテンツサーバから配信されたコンテンツデータを記憶媒体に記憶して再生及び／又は制御をし、上記コンテンツデータの使用ログ情報を上記コンテンツサーバに送信し、
上記記憶媒体からコンテンツデータが取得できなくなったときには、この取得できなくなったコンテンツデータを上記コンテンツサーバから再配信を受けるとともに、上記使用ログ情報を上記コンテンツサーバから取得し、この使用ログ情報に応じて再配信されたコンテンツデータの再生及び／又は制御をすること
を特徴とする記憶媒体。
【請求項７】  コンテンツサーバとネットワークを介して接続されたデータ処理装置であって、
上記コンテンツサーバとの間でデータを送受信する通信手段と、
コンテンツデータを記憶する記憶手段と、
上記記憶手段に記憶されたコンテンツデータを再生する再生手段と、
上記記憶手段に記憶されたコンテンツデータのコンテンツＩＤリストを含むログ情報を管理し、上記コンテンツサーバへ上記ログ情報を上記通信手段が送信するよう制御し、上記再生手段が上記コンテンツデータを再生するよう制御する制御手段と
を有し、
上記記憶手段に記憶された上記コンテンツデータが上記再生手段で再生できなくなったときは、上記通信手段が上記ログ情報に基づいて上記コンテンツサーバが送信するデータを受信すること
を特徴とするデータ処理装置。
【請求項８】  上記コンテンツサーバが送信するデータは、コンテンツデータであり、上記再生手段は、上記通信手段が受信したコンテンツデータを再生することを特徴とする請求項７記載のデータ処理装置。
【請求項９】  上記コンテンツデータは、コンテンツ鍵で暗号化されており、上記記憶手段は、コンテンツを暗号化したコンテンツ鍵を記憶しており、上記再生手段は上記コンテンツデータを上記コンテンツ鍵で復号化して再生し、上記コンテンツサーバが送信するデータは、コンテンツ鍵であることを特徴とする請求項７記載のデータ処理装置。
【請求項１０】  上記制御手段は、上記記憶手段に記憶されたコンテンツデータのバックアップデータを記録媒体に記憶するよう制御することを特徴とする請求項７記載のデータ処理装置。
【請求項１１】  上記通信手段は、上記ログ情報に基づいて上記コンテンツサーバが送信する整合検証値データを受信し、上記制御手段は、上記再生手段がコンテンツデータを再生するときは上記整合検証値データに基づいてコンテンツＩＤの検証を行うよう制御することを特徴とする請求項７記載のデータ処理装置。
【請求項１２】  ネットワークを介してデータ処理装置と接続されたコンテンツサーバであって、
コンテンツデータを記憶する記憶手段と、
上記記憶手段に記憶されたコンテンツデータを上記データ処理装置へ送信する通信手段と、
上記データ処理装置から受信したコンテンツデータのコンテンツＩＤリストを含むログ情報を上記データ処理装置に対応付けて上記記憶手段に記憶し、上記データ処理装置から要求があった場合、上記通信手段が上記ログ情報に基づいてデータを上記データ処理装置へ送信するよう制御する制御手段と
を有するコンテンツサーバ。
【請求項１３】  上記コンテンツＩＤリストに基づいて送信するデータはコンテンツデータであり、上記制御手段は上記記憶手段に記憶されたコンテンツデータを上記通信手段が送信するよう制御することを特徴とする請求項１２記載のコンテンツサーバ。
【請求項１４】  上記コンテンツＩＤリストに基づいて送信するデータは、コンテンツを復号化するためのコンテンツ鍵であることを特徴とする請求項１２記載のコンテンツサーバ。
【請求項１５】  上記コンテンツＩＤリストに基づいて整合検証値データを生成する生成手段を有し、
上記制御手段は上記生成手段で生成した整合検証値データを上記データ処理装置へ送信するよう前記通信手段を制御することを特徴とする請求項１２記載のコンテンツサーバ。
【手続補正３】
【補正対象書類名】明細書
【補正対象項目名】０００１
【補正方法】変更
【補正の内容】
【０００１】
【発明の属する技術分野】
本発明は、ネットワークを介して音楽データ等のコンテンツデータを提供するコンテンツ提供システム、コンテンツ配信方法、記憶媒体、データ処理装置、及び、コンテンツサーバに関するものである。
【手続補正４】
【補正対象書類名】明細書
【補正対象項目名】０００６
【補正方法】変更
【補正の内容】
【０００６】
本発明は、このような実情を鑑みてなされたものであり、ネットワークを介してコンテンツ配信したコンテンツデータが、一旦破壊されてしまった場合であっても、著作権の保護を図りながら、コンテンツデータを復元することができるコンテンツ提供システム、コンテンツ配信方法、記憶媒体、データ処理装置、及び、コンテンツサーバを提供することを目的とする。
【手続補正５】
【補正対象書類名】明細書
【補正対象項目名】００１８
【補正方法】変更
【補正の内容】
【００１８】
この記憶媒体では、再生制御プログラムがインストールされたデータ処理装置に対して、コンテンツサーバから再取得した使用ログ情報に基づき、再配信されたコンテンツデータの再生及び／又は制御を行わせる。
本発明にかかるデータ処理装置は、コンテンツサーバとネットワークを介して接続されたデータ処理装置であって、上記コンテンツサーバとの間でデータを送受信する通信手段と、コンテンツデータを記憶する記憶手段と、上記記憶手段に記憶されたコンテンツデータを再生する再生手段と、上記記憶手段に記憶されたコンテンツデータのコンテンツＩＤリストを含むログ情報を管理し、上記コンテンツサーバへ上記ログ情報を上記通信手段が送信するよう制御し、上記再生手段が上記コンテンツデータを再生するよう制御する制御手段とを有し、上記記憶手段に記憶された上記コンテンツデータが上記再生手段で再生できなくなったときは、上記通信手段が上記ログ情報に基づいて上記コンテンツサーバが送信するデータを受信することを特徴とする。
このデータ処理装置は、ログ情報に基づいてコンテンツサーバから再配信されたコンテンツデータを受信する。
本発明にかかるコンテンツサーバは、ネットワークを介してデータ処理装置と接続されたコンテンツサーバであって、コンテンツデータを記憶する記憶手段と、上記記憶手段に記憶されたコンテンツデータを上記データ処理装置へ送信する通信手段と、上記データ処理装置から受信したコンテンツデータのコンテンツＩＤリストを含むログ情報を上記データ処理装置に対応付けて上記記憶手段に記憶し、上記データ処理装置から要求があった場合、上記通信手段が上記ログ情報に基づいてデータを上記データ処理装置へ送信するよう制御する制御手段とを有することを特徴とする。
このコンテンツサーバは、データ処理装置から受信したログ情報をデータ処理装置に対応付けて記憶し、このログ情報に基づいてデータ処理装置にデータを送信する。